(57)【要約】【課題】  局部的な強度の低下に起因する破損を防止し、またチューブの損傷を低減する。【解決手段】  パーツａの開口部１１に、パーツｂの板状部１４を貫通させ、支軸５で止めて把持部４ａ，４ｂが開閉自在な鉗子１０を構成する。板状部１４の上端側の連結部１４ａにおいて、板厚を、把持部４ｂに近いほど漸増させる。板厚を段状に変化させる場合と比べて、応力集中を低減して強度を高めることができる。また、把持部４ａ，４ｂの開放状態において、連結部１４ａ，１２ａの内側の曲面が滑らかな曲線状に連続するので、把持部４ａ，４ｂを閉じたときに、連結部１４ａ，１２ａの交差部近傍にチューブを挟み込むことによるチューブの損傷を防止できる。【選択図】      図３
2007000296.tif 000002
【特許請求の範囲】
【請求項１】
使用者が指を入れるリング部と、前記リング部から先端側に延びる把手部と、前記把手部の先端側に設けられた関節部と、前記関節部の先端側に設けられて把持対象物を把持する把持部とをそれぞれ有する第１パーツと第２パーツとを、前記関節部で開閉自在に連結して構成した鋏形の鉗子において、
前記第１パーツの前記関節部は開口部を有し、
前記第２パーツの前記関節部は、前記開口部を貫通する板状部と、前記板状部と前記把持部との間に位置する連結部とを有し、
前記板状部は、前記把持部の基端部の厚さよりも薄く形成されるとともに、前記連結部は、前記板状部から板厚が漸増して前記把持部の基端部に連続する、
ことを特徴とする鉗子。
【請求項２】
前記連結部は、板厚の増加に対応して幅が減少する、
ことを特徴とする請求項１に記載の鉗子。
【請求項３】
前記第１パーツ及び前記第２パーツの前記把持部は、それぞれ内側面に把持対象物を把持する把持面を有し、
前記第１パーツ及び前記第２パーツの前記関節部は、それぞれ前記把持面の基端側に連続する部分の形状が前記把持部の開放状態において滑らかに連続する、
ことを特徴とする請求項１又は２に記載の鉗子。
【請求項４】
前記第１パーツ側の前記開口部の両側に位置する板状部の厚さをそれぞれｙ、前記第２パーツ側の前記板状部の厚さをｘとしたときに、これらｘとｙとの間に、
ｙ＜ｘ＜２ｙ
の関係が成り立つ、
ことを特徴とする請求項１ないし３のいずれか１項に記載の鉗子。
【請求項５】
前記把持部は先端側ほど厚さが薄く形成されている、
ことを特徴とする請求項１ないし４のいずれか１項に記載の鉗子。
【請求項６】
前記把持部は先端側ほど幅が狭く形成されている、
ことを特徴とする請求項１ないし５のいずれか１項に記載の鉗子。
【発明の詳細な説明】
【技術分野】
【０００１】
本発明は、組織や器物を把持するための鉗子、例えば、人工透析用のチューブを把持するのに使用される鉗子に関する。
【背景技術】
【０００２】
主に外科手術用の、組織や器物を把持するための鋏形の金属器具として鉗子が知られている（例えば、特許文献１参照）。鉗子は、その用途によって止血鉗子、透析用鉗子、腸鉗子、薄利鉗子などに分類される。また、連結部分（関節）の種類によってボックス式、横ハズシ式、撞木式、ネジ止式などに分類される。
【０００３】
図５は、このうち、ボックス式の透析用鉗子の、把持部を開いた状態（開放状態）の斜視図である。ただし、同図では、関節から先の部分のみを図示している。また、図６は、同じく正面図である。
【０００４】
これらの図に示す鉗子は、２つの棒状のパーツａ，ｂを開閉自在に組み合わせることによって構成されている。すなわち、各パーツａ，ｂは、それぞれリング部（指を入れる部分：不図示）、リング部から先端側に延びる把手部１０１ａ，１０１ｂ、関節部１０２ａ，１０２ｂ、把持部１０３ａ，１０３ｂを有していて、それぞれの関節部１０２ａ，１０２ｂを支軸１０４で連結することにより、この支軸１０４を回転中心として開閉することができるようになっている。また、これらの図に示すボックス式のものは、一方の関節部１０２ａが開口部１０７を有していて、他方の関節部１０２ｂは、この開口部１０７を貫通する板状部１０８を有している。この鉗子は、把持部１０３ａ，１０３ｂのそれぞれの内側の把持面１０５ａ，１０５ｂに滑り止め用の凹凸が形成されている。また、それぞれのパーツａ，ｂにおけるリング部の近傍には、他のパーツに向けて突出された係止部（不図示）が形成されている。
【０００５】
この鉗子は、使用に際して、それぞれのパーツａ，ｂのリング部に指を入れて開くことにより、把持部１０３ａ，１０３ｂを開き、その後、指を握ることで、把持部１０３ａ，１０３ｂが図６中の矢印Ｋ１，Ｋ２方向に移動して閉じられる。これにより、把持部１０３ａと把持部１０３ｂとの間に、例えば人工透析用のチューブ（不図示）を潰すようにして挟み込む。さらに、それぞれの係止部を係合させてロックする。鉗子は、これにより手を離しても、チューブを強い力でしっかりと挟み込んだ状態を維持することができる。
【特許文献１】特開２０００−２８７９８０号公報
【発明の開示】
【発明が解決しようとする課題】
【０００６】
しかしながら、図５，図６に示す鉗子にあっては、特定の箇所が強度的に弱く、また形状的にチューブを損傷するおそれがあるという問題があった。
【０００７】
すなわち、パーツｂの関節部１０２ｂは、パーツａの関節部１０２ａの開口部１０７を貫通させるために、他の部分よりも薄い板状部１０８を有している。このため図５に示すように、この板状部１０８と厚さの厚い把持部１０３ｂとの間に、段部１０６が形成されてしまう。この段部１０６は、把持部１０３ａ，１０３ｂによってチューブを把持した際に応力が集中するため、他の部分よりも折れやすい。つまり、他の部分と比較して強度が低く損傷しやすい。
【０００８】
また、図６に示すように、把持部１０３ａ，１０３ｂを大きく開いた際に、両者の関節部１０２ａ，１０２ｂの間に、Ｖ字形の溝Ｇが形成される。この溝Ｇは、把持部１０３ａ，１０３ｂが閉じられていくと徐々に小さくなるため、チューブを挟み込んで損傷させるおそれがある。
【０００９】
なお、以上の説明では、鉗子が把持する対象物がチューブである場合を例に説明したが、上述の問題は、把持対象物がチューブ以外のものであっても発生する問題である。
【００１０】
そこで、本発明は、特定の部分に応力が集中することに起因する破損を防止するとともに、把持対象物の損傷も防止するようにした鉗子を提供することを目的とするものである。
【課題を解決するための手段】
【００１１】
請求項１に係る発明は、使用者が指を入れるリング部と、前記リング部から先端側に延びる把手部と、前記把手部の先端側に設けられた関節部と、前記関節部の先端側に設けられて把持対象物を把持する把持部とをそれぞれ有する第１パーツと第２パーツとを、前記関節部で開閉自在に連結して構成した鋏形の鉗子において、前記第１パーツの前記関節部は開口部を有し、前記第２パーツの前記関節部は、前記開口部を貫通する板状部と、前記板状部と前記把持部との間に位置する連結部とを有し、前記板状部は、前記把持部の基端部の厚さよりも薄く形成されるとともに、前記連結部は、前記板状部から板厚が漸増して前記把持部の基端部に連続する、ことを特徴とする。
【００１２】
請求項２に係る発明は、請求項１に記載の鉗子において、前記連結部は、板厚の増加に対応して幅が減少する、ことを特徴とする。
【００１３】
請求項３に係る発明は、請求項１又は２に記載の鉗子において、前記第１パーツ及び前記第２パーツの前記把持部は、それぞれ内側面に把持対象物を把持する把持面を有し、前記第１パーツ及び前記第２パーツの前記関節部は、それぞれ前記把持面の基端側に連続する部分の形状が前記把持部の開放状態において滑らかに連続する、ことを特徴とする。
【００１４】
請求項４に係る発明は、請求項１ないし３のいずれか１項に記載の鉗子において、前記第１パーツ側の前記開口部の両側に位置する板状部の厚さをそれぞれｙ、前記第２パーツ側の前記板状部の厚さをｘとしたときに、これらｘとｙとの間に、ｙ＜ｘ＜２ｙの関係が成り立つ、ことを特徴とする。
【００１５】
請求項５に係る発明は、請求項１ないし４のいずれか１項に記載の鉗子において、前記把持部は先端側ほど厚さが薄く形成されている、ことを特徴とする。
【００１６】
請求項６に係る発明は、請求項１ないし５のいずれか１項に記載の鉗子において、前記把持部は先端側ほど幅が狭く形成されている、ことを特徴とする。
【発明の効果】
【００１７】
請求項１の発明によると、板状部は、把持部の基端部の厚さよりも薄く形成されるとともに、連結部は、板状部から板厚が漸増して把持部の基端部に連続するので、板状部から把持部に板厚が段状に増加する場合と比較して、応力集中が発生しにくく、その分、強度が高くなる。
【００１８】
請求項２の発明によると、連結部は、板厚の増加に対応して幅が減少する、つまり断面積の変化が少ないので、強度が弱くなる部分が形成されにくい。
【００１９】
請求項３の発明によると、第１パーツ及び第２パーツの関節部は、把持面の基端側に連続する部分の形状が把持部の開放状態において滑らかに連続するので、従来例と異なり、両者間に形成されるＶ字形の溝によって把持対象物に損傷を与えることがない。また、応力集中が発生しにくく、強度が高くなる。
【００２０】
請求項４の発明によると、第１パーツ側の板状部と、第２パーツ側の板状部との板厚のバランスを好適に設定して、一方が薄すぎることに起因する強度の低下を防止することができる。
【００２１】
請求項５の発明によると、把持部の先端ほど厚さが薄く形成されているので、製造組み立て時において、第１パーツの開口部に第２パーツを通しやすく、製造組み立てが容易となる。また、把持部の先端部を中心として把持部がしなるので、応力集中が発生しにくく、強度が高くなる。
【００２２】
請求項６の発明によると、把持部の先端ほど幅が狭いので、把持部の先端を中心として把持部がしなりやすいので、応力集中が発生しにくく、強度が高くなる。
【発明を実施するための最良の形態】
【００２３】
以下、図面に沿って、本発明の実施の形態について説明する。なお、各図面において同一の符号を付したものは、同一の構成又は作用をなすものであり、これらについての重複説明は適宜省略した。
＜実施の形態１＞
【００２４】
図１〜図４に、本発明を適用することができる鉗子を示す。ここで、図１は把持部を閉じた状態の正面図、図２は把持部を開いた状態の正面図、図３は開放状態の把持部近傍を示す拡大斜視図、図４（ａ）はパーツｂの関節部近傍の正面拡大図、図４（ｂ）は（ａ）を右方から見た側面図である。
【００２５】
まず、図１，図２を参照して、本発明に係る鉗子の全体構成を説明する。図１は把持部を閉じた状態、また図２は把持部を開いた状態の正面図である。
【００２６】
鉗子１０は、２つの棒状のパーツａ（第１パーツ），ｂ（第２パーツ）を開閉自在に組み合わせることによって構成されている。
【００２７】
パーツａは、リング部１ａ（指を入れる部分）と、このリング部１ａから先端側（図１，図２における上側）に延びる棒状の把手部２ａと、この把手部２ａの先端側に設けられた関節部３ａと、この関節部３ａの先端側に設けられた把持部４ａと、上述のリング部１ａと把手部２ａとの境界近傍において他方のパーツｂ側に向けて突設された係止部６ａとを備えている。上述の把持部４ａは先端側ほど厚さが薄く、また幅（図１における左右方向の寸法）が狭くなるように形成されている。
【００２８】
パーツｂは、上述のパーツａとほぼ同様に構成されている。すなわち、パーツｂは、リング部１ｂ（指を入れる部分）と、このリング部１ｂから先端側（図１，図２における上側）に延びる棒状の把手部２ｂと、この把手部２ｂの先端側に設けられた関節部３ｂと、この関節部３ｂの先端側に設けられた把持部４ｂと、上述のリング部１ｂと把手部２ｂとの境界近傍において他方のパーツａ側に向けて突設された係止部６ｂとを備えている。上述の把持部４ｂは先端側ほど厚さが薄く、また幅（図１における左右方向の寸法）が狭くなるように形成されている。
【００２９】
これらパーツａ，パーツｂは、それぞれの関節部３ａ，３ｂを貫通する支軸（ピボット）５によって開閉自在に組み合わされている。すなわち、鉗子１０は、支軸５を中心にして、把持部４ａ，４ｂが、図１に示す閉鎖状態と、図２に示す開放状態とをとることができる。図１に示す閉鎖状態においては、把持部４ａ，４ｂのそれぞれの内側の把持面７ａ，７ｂがほぼ合わさるようになっている。これら把持面７ａ，７ｂには、滑り止め用の凹凸が形成されている。また、それぞれの係止部６ａ，６ｂには、相互に係脱可能な凹凸（不図示）が形成されていて、これら凹凸を係合させることで、使用者が手を離した場合でも、閉鎖状態を維持することができるようになっている。一方、図２に示す開放状態においては、係止部６ａ，６ｂの係合が解除されるとともに、把持面７ａ，７ｂが離間される。なお、実際に把持部４ａ，４ｂの把持面７ａ，７ｂによって、例えば、人工透析用のチューブ（以下単に「チューブ」という。）を把持する場合には、上述の閉鎖状態の少し手前、すなわち把持面７ａ，７ｂが少し離れた状態で、チューブを潰して保持し、この状態を維持するために係止部６ａ，６ｂが係合される。
【００３０】
次に、本発明の特徴部分について、図３、図４（ａ），（ｂ）を参照して詳述する。ここで、図３は前述のように、開放状態の把持部近傍を示す拡大斜視図である。また図４（ａ）は、パーツｂの関節部３ｂ近傍の正面拡大図、図４（ｂ）は（ａ）を右方から見た側面図である。ただし、これらの図においてはパーツａを二点鎖線で図示している。
【００３１】
図３に示すように、パーツａの関節部３ａは正面から見た形状がほぼ平行四辺形の板状部１２，１３と、連結部１２ａとを有している。これら板状部１２，１３の間には、板状の開口部１１が形成されている。連結部１２ａは、板状部１２，１３の上端側に位置していて、内側に把持面７ａの基端側（下端側）から滑らかな曲線状に連続する曲面を有している。一方、パーツｂの関節部３ｂは、上述の開口部１１を貫通する板状部１４と、その上端側及び下端側にそれぞれ位置する連結部１４ａ，１４ｂとを有している。この板状部１４も正面から見た形状がほぼ平行四辺形に形成されている。上端側の連結部１４ａは、内側に把持面７ｂの基端側（下端側）から滑らかな曲線状に連続する曲面を有している。さらに、これら連結部１２ａの曲面と連結部１４ａの曲面とは、図２に示すように、把持部４ａ，４ｂの開放状態において滑らかな曲線状に連続するように構成されている。これにより、図６に示す従来例と異なり、両者間にＶ字形の溝が形成されることがない。このため、Ｖ字形の溝にチューブが挟まって損傷されるようなことはない。
【００３２】
パーツｂの関節部３ｂの板状部１４の板厚は、把持部４ｂの基端部の厚さよりも薄く形成されている。また、連結部１４ａは、図４（ｂ）に示すように、把持部４ｂに近いほど板厚が漸増している。このため、従来例で説明した段部１０６（図５参照）が形成される場合と異なり、応力集中が発生しにくく、その分、強度を高めることができる。
【００３３】
また下端側の連結部１４ｂは、図３に示すように、把手部２ｂに近いほど板厚が漸増している。このため、応力集中が発生しにくく、その分、強度を高めることができる。
【００３４】
ここで、図４（ｂ）に示すように、関節部３ｂの板状部１４の板厚が最も薄い部分の板厚をｘ、また関節部３ａの板状部１２，１３の板厚が最も薄い部分の板厚をそれぞれｙとすると、これらの間に、ｙ＜ｘ＜２ｙが成り立つように板厚を設定するとよい。このように設定することにより、パーツａ側の関節部３ａの板状部１２，１３とパーツｂ側の関節部３ａの板状部１４との板厚のバランスを好適に設定して、一方が薄すぎることに起因する強度の低下を防止することができる。
【００３５】
また、図４（ａ），（ｂ）に示すように、上端側の連結部１４ａは、その板厚は把持部４ｂに近い側ほど漸増するが、その左右幅ｄ１は把持部４ｂに近いほど狭くなるように形成されている。すなわち板厚が厚くなった分だけ左右幅を狭くすることで、断面積がほぼ一定あるいは断面積の変化を少なくすることができる。一般に、強度は断面積に比例するので、上述により、板厚や左右幅を不要に大きくすることなく、十分な強度を確保することができる。なお、下端側の連結部１４ｂについても同様である。すなわち、下端側の連結部１４ｂは、その板厚は把手部２ｂに近い側ほど漸増するが、その左右幅ｄ２は把手部２ｂに近いほど狭くなるように形成されている。これにより、断面積がほぼ一定あるいは断面積の変化を少なくすることができる。
【００３６】
以上説明したように、本実施の形態に係る鉗子１０によると、チューブ（把持対象物）を損傷させることがない。また、局部的に強度が低下することに起因する破損を有効に防止することができる。
【図面の簡単な説明】
【００３７】
【図１】閉鎖状態の把持部の正面図である。
【図２】解放状態の把持部の正面図である。
【図３】開放状態の把持部近傍を示す拡大斜視図である。
【図４】（ａ）はパーツｂの関節部近傍の正面拡大図、図４（ｂ）は（ａ）を右方から見た側面図である。
【図５】ボックス式の透析用鉗子の、解放上体の把持部の斜視図である。
【図６】ボックス式の透析用鉗子の、解放上体の把持部の正面図である。
【符号の説明】
【００３８】
１ａ，１ｂ  リング部
２ａ，２ｂ  把手部
３ａ，３ｂ  関節部
４ａ，４ｂ  把持部
７ａ，７ｂ  把持面
１０        鉗子
１１        開口部
１２，１３，１４
板状部
１２ａ，１４ａ，１４ｂ
連結部
ａ          第１パーツ
ｂ          第２パーツ
ｄ１        連結部の幅
ｘ          関節部３ｂ側の板状部の厚さ
ｙ          関節部３ａ側の板状部の厚さ
【図１】
2007000296.tif 000003
【図２】
2007000296.tif 000004
【図３】
2007000296.tif 000005
【図４】
2007000296.tif 000006
【図５】
2007000296.tif 000007
【図６】
2007000296.tif 000008